(57)【要約】【課題】  選別風を３つに分けて送風し、かつ３段階選別として選別性能の向上を図る。【解決手段】  揺動選別装置１４は、脱穀室１６の受網２２の下方に、第１と第２のチャフシーブ２６，２８、及びグレンシーブ３０と、処理物を風選処理する唐箕ファン３４とを備え、該唐箕ファン３４の後方側に設けた送風口３５に臨むように、上下に２つの風向板４８，４９を配置し、これら２つの風向板４８，４９にて、第１と第２のチャフシーブ２６，２８との間に送風する第１の風路３６と、第２のチャフシーブ２８とグレンシーブ３０との間に送風する第２の風路３７と、グレンシーブ３０の下方に送風する第３の風路３８とを形成し、各風路に唐箕ファン３４からの選別風を分割して送風した。【選択図】      図１       
2005218416.tif 000002
【特許請求の範囲】
【請求項１】
脱穀室の受網下方に、該受網から落下する処理物を漏下選別する第１のチャフシーブと、該第１のチャフシーブの下方に配置され前記第１のチャフシーブから落下する処理物を漏下選別する第２のチャフシーブと、該第２のチャフシーブの下方に配置され前記第２のチャフシーブから落下する処理物を漏下選別するグレンシーブと、前記処理物を風選処理する送風ファンと、を備えた脱穀機の揺動選別装置において、
前記送風ファンの後方側に設けた送風口に臨むように、上下方向に所定間隔を隔てて２つの風向板を配置し、
前記２つの風向板にて、前記第１のチャフシーブと前記第２のチャフシーブとの間に送風する第１の風路と、前記第２のチャフシーブと前記グレンシーブとの間に送風する第２の風路と、前記グレンシーブの下方に送風する第３の風路と、を形成し、
前記送風ファンからの選別風を前記第１乃至第３の風路にて分割して送風した、
ことを特徴とする脱穀機の揺動選別装置。
【請求項２】
前記第１と第２の風路を流れる風量が略々同一となるように、かつ前記第３の風路を流れる風量を前記第１と第２の風路を流れる風量よりも大となるように設定した、
ことを特徴とする請求項１記載の脱穀機の揺動選別装置。
【発明の詳細な説明】
【技術分野】
【０００１】
本発明は、コンバイン等に搭載される脱穀機の揺動選別装置に関し、特に脱穀後の処理物を上下３段に配置されたチャフシーブとグレンシーブの隙間から漏下かつ風選する脱穀機の揺動選別装置に関する。
【背景技術】
【０００２】
コンバイン等に搭載される脱穀機は、揺動選別装置を備えていて、従来の揺動選別装置は、脱穀室の受網から落下供給される処理物を受止める移送棚と、該移送棚の後方部に連設されたチャフシーブとグレンシーブが設けられると共に、前記チャフシーブとグレンシーブの下方には揺動網が設けられていて、これらチャフシーブとグレンシーブ、及び揺動網の下方から、唐箕ファンからの選別風を分けて送風することで、２段階選別により選別するものが公知である（特許文献１参照）。
【０００３】
また、他の揺動選別装置として、脱穀室の受網から落下供給される処理物を揺動選別する上段、中段、及び下段の選別部を備え、これら上段、中段、下段の選別部に唐箕ファンからの選別風を分けて送風して３段選別により選別するものが公知である（特許文献２参照）。
【０００４】
【特許文献１】特許第３３７６６８２号公報（第２頁、図１）
【特許文献２】特開平６−９８６２４号公報（第２頁、図１）
【発明の開示】
【発明が解決しようとする課題】
【０００５】
しかし、上述した特許文献１の揺動選別装置によると、唐箕ファンからの選別風を３方向の選別風路に分けて送風しているが、選別部が上下２段の構成であるので、選別能力に限界があった。また、特許文献２の揺動選別装置によると、ケーシング壁を変形等して唐箕ファンの周方向の上方と後方に送風口を設け、該送風口から選別風を送風するものであるが、２箇所の送風口が設けられているためケーシング構造が複雑になると共に、風向板が設けられていないので選別風を所定の方向に案内するのが困難であった。
【０００６】
本発明は、斯かる課題を解決するためになされたもので、その目的とするところは、選別風を３つに分けて送風し、かつ３段階選別として選別性能の向上を図ることのできる脱穀機の揺動選別装置を提供することにある。
【課題を解決するための手段】
【０００７】
前記目的を達成するため、請求項１に係る発明は、脱穀室（１６）の受網（２２）下方に、該受網（２２）から落下する処理物を漏下選別する第１のチャフシーブ（２６）と、該第１のチャフシーブ（２６）の下方に配置され前記第１のチャフシーブ（２６）から落下する処理物を漏下選別する第２のチャフシーブ（２８）と、該第２のチャフシーブ（２８）の下方に配置され前記第２のチャフシーブ（２８）から落下する処理物を漏下選別するグレンシーブ（３０）と、前記処理物を風選処理する送風ファン（３４）と、を備えた脱穀機（１０）の揺動選別装置（１４）において、
前記送風ファン（３４）の後方側に設けた送風口（３５）に臨むように、上下方向に所定間隔を隔てて２つの風向板（４８，４９）を配置し、
前記２つの風向板（４８，４９）にて、前記第１のチャフシーブ（２６）と前記第２のチャフシーブ（２８）との間に送風する第１の風路（３６）と、前記第２のチャフシーブ（２８）と前記グレンシーブ（３０）との間に送風する第２の風路（３７）と、前記グレンシーブ（３０）の下方に送風する第３の風路（３８）と、を形成し、
前記送風ファン（３４）からの選別風を前記第１乃至第３の風路（３６〜３８）にて分割して送風した、ことを特徴とする。
【０００８】
請求項２に係る発明は、前記第１と第２の風路（３６，３７）を流れる風量が略々同一となるように、かつ前記第３の風路（３８）を流れる風量を前記第１と第２の風路（３６，３７）を流れる風量よりも大となるように設定した、ことを特徴とする。
【０００９】
なお、上述した括弧内の符号は図面を参照するために示すものであって、本発明を何ら限定するものではない。
【発明の効果】
【００１０】
請求項１に係る発明によれば、送風ファンの後方側に設けた送風口に臨むように、上下方向に所定間隔を隔てて２つの風向板を配置し、前記送風ファンからの選別風を第１乃至第３の風路にて分割して送風したので、簡単な構造で選別風を効率良く３つに分けて送風することができ、３段階選別として簡単な構造で選別性能の向上を図ることができる。
【００１１】
請求項２に係る発明によれば、第１と第２の風路を流れる風量が略々同一となるように、かつ第３の風路を流れる風量を第１と第２の風路を流れる風量よりも大となるように設定したので、３段階選別による選別性能の向上を図ることができる。
【発明を実施するための最良の形態】
【００１２】
以下、図面に基づき本発明の実施の形態を説明する。
【００１３】
図１は、コンバイン等に搭載される脱穀機の側面図であり、該脱穀機１０は、フィードチェン１９によって搬送供給された穀稈を脱穀する脱穀部１２と、該脱穀部１２から漏下した夾雑物を含む処理物の中から穀粒を篩選する揺動選別装置１４と、を備えている。脱穀部１２は扱室１６を有し、該扱室１６には、複数の扱歯１８を有する扱胴２０が回動自在に内装され、扱歯１８によって前記フィードチェン１９により扱室１６内に搬送されてきた穀稈の脱穀を行う。扱室１６において脱穀された後の穀稈は、排ワラチェン２１により機体後部に搬送され、切断処理等されて排出される。扱室１６の下方には、受網２２が設置され、該受網２２は、扱胴２０によって脱穀された穀粒と比較的大きな切れ稈とを分離すべく、穀粒及び比較的小さな切れ稈等の夾雑物を処理物として漏下させる。
【００１４】
揺動選別装置１４は、脱穀機１０の下方に前後に揺動自在に配置された左右一対の図示しない揺動側板を有していて、該揺動選別装置１４の前部で、かつ左右の揺動側板の間には、波板状に形成されて受網２２を漏下した後の処理物を揺動作用により後方に移送して、処理物に含まれる穀粒と夾雑物とを層状に分離する揺動流板２４が配置されている。また、揺動流板２４の後方には、該揺動流板２４から送り込まれた処理物を後方に向けて移送し、処理物に含まれる穀粒をフィン部材の隙間から漏下させる第１のチャフシーブ２６と、該第１のチャフシーブ２６の下方に配置され、該第１のチャフシーブ２６から落下する処理物を漏下選別する第２のチャフシーブ２８と、該第２のチャフシーブ２８の下方に配置され、該第２のチャフシーブ２８から落下する処理物を漏下選別するグレンシーブ３０と、が配置されている。
【００１５】
更に、前記受網２２の下方には、上述した処理物を風選処理すべく、後方側に設けられた送風口３５から選別風を供給する唐箕ファン３４が配置されている。なお、第１及び第２のチャフシーブ２６，２８の後端部は、後述する１番流板５０の位置付近まで延設されていて、これにより揺動選別領域が前後方向に長く形成されている。
【００１６】
前記第１のチャフシーブ２６の後端部には、第１のラック２７が設けられ、また、前記グレンシーブ３０の後端部には第２のラック３１が配設され、更に、前記第１のラック２７と第２のラック３１との間には処理物の落下空間３２が形成されている。
【００１７】
すなわち、第１のチャフシーブ２６の後端部には、該第１のチャフシーブ２６から移送されてきた切れ稈等の夾雑物、及び扱室１６の後方の開口部（図示せず）から供給された未処理物を分離する第１のラック２７が設けられ、また、グレンシーブ３０の後端部には、第１のラック２７や第２のチャフシーブ２８の後端部から落下する未処理物に含まれる比較的大きな切れ稈等の夾雑物や、グレンシーブ３０から移送されてきた夾雑物を分離する第２のラック３１が配設されている。
【００１８】
本実施形態では、唐箕ファン３４の後方側に設けた前記送風口３５に臨むように、上下方向に所定間隔を隔てて２つの風向板４８，４９を配置し、該２つの風向板４８，４９により、唐箕ファン３４からの選別風を、後述する第１乃至第３の風路３６〜３８にて分割して送風可能な構成を有している。すなわち、前述した２つの風向板４８，４９により、第１のチャフシーブ２６と第２のチャフシーブ２８との間に送風する第１の風路３６と、第２のチャフシーブ２８とグレンシーブ３０との間に送風する第２の風路３７と、グレンシーブ３０の下方に送風する第３の風路３８とを形成し、これら第１乃至第３の風路３６〜３８にて、唐箕ファン３４からの選別風を分割して送風するようにした。
【００１９】
そして、本実施形態では、前記風向板４８の上端部を、揺動選別装置１４の選別風導入口５３の下端部の高さ位置と略々同一とし、また、前記風向板４９の上端部を、揺動選別装置１４の選別風導入口５４の下端部の高さ位置と略々同一としている。更に、グレンシーブ３０の下方には、該グレンシーブ３０にて選別された穀粒を、図示しない穀粒タンクへ移送する１番ラセン３９が配置され、該１番ラセン３９の後方には２番ラセン４０が配置されている。この２番ラセン４０は、第２のラック３１を漏下した未処理物を揺動流板２４上へ再び還元する役目をなす。
【００２０】
また、本実施形態では、唐箕ファン３４の回転方向の下手側に形成された第１の風路３６の風路幅Ａ１  を、唐箕ファン３４の回転方向の中間側に形成された第２の風路３７の風路幅Ａ２  よりも大きく設定することにより、第１と第２の風路３６，３７を流れる風量が略々同一となるようにしている。更に、唐箕ファン３４の回転方向の上手側に形成された第３の風路３８を流れる風量を、第１と第２の風路３６，３７を流れる風量よりも大きくなるように、第３の風路３８の風路幅Ａ３  を設定している。そして、例えば第３の風路３８を流れる選別風が一番強く（唐箕風の約５０％）、また、第１及び第２の風路３６，３７を流れる選別風は略々均等（唐箕風の約２５％）に設定している。
【００２１】
本実施形態によれば、３段階選別により選別性能が向上すると共に、第３の風路３８を流れる風量を一番強くすることで、１番物への藁屑の混入を防ぎ、残りの選別風を略々均等に第１及び第２の風路３６，３７に送風することで、受網２２から落下する処理物を２段階で選別し、選別精度の向上が図られる。
【００２２】
なお、前述した第１のラック２７と第２のラック３１との間には、処理物の落下空間３２を形成したので、第１と第２のラック２７，３１の上下方向の距離が広くなり、第１のチャフシーブ２６及び第１のラック２７で搬送される比較的大きな藁屑を、第１と第２のラック２７，３１の間の落下空間３２において選別風により十分に選別することが可能となる。これにより、後述する２番ラセン４０上に落下する切れ藁の量が減少し、該２番ラセン４０に加わる動力負荷が減少する。
【００２３】
また、１番ラセン３９と２番ラセン４０との間に補助ファン４２を設け、該補助ファン４２からの選別風を、矢印のように前記落下空間３２に導く風路を形成している。すなわち、図の補助ファン４２の左上方は、機体側板間に配設されかつ斜め後方に延びる１番流板５０によって風路が規制され、また、補助ファン４２の右方は、２番流板５１によって風路が規制されている。更に、１番流板５０と２番流板５１の前後方向の中間の機体側板間には、風向板５２が取付けられていて、補助ファン４２からの選別風は、主として上述した１番流板５０と風向板５２とによって落下空間３２に導かれる。そして、中間に多量の夾雑物等がない場合は、補助ファン４２からの選別風は第１のラック２７の位置にまで到達する。
【００２４】
前記第２のラック３１の後方には、唐箕ファン３４及び補助ファン４２からの選別風で吹き上げられた夾雑物を吸引して機外へ排出する吸引排塵ファン４４が配置されている。なお、第１のチャフシーブ２６の後部上方の機体後部には、天板４６が形成されていて、選別風によって上方に吹き上げられた軽い夾雑物は、この天板４６に当接して方向転換されて吸引排塵ファン４４に吸引される。
【００２５】
次いで、本実施形態の作用を簡単に説明する。
【００２６】
扱室１６にて脱穀され、受網２２から下方の揺動選別装置１４に落下する処理物は、第１のチャフシーブ２６と第２のチャフシーブ２８、及びグレンシーブ３０の３段階選別によって漏下選別されるが、この際、第３の風路３８を流れる選別風を一番強くしたことで、１番物への藁屑の混入が防止され、また、唐箕ファン３４からの残りの選別風を、略々均等に第１の風路３６と第２の風路３７に送風するようにしたことで、第１と第２のチャフシーブ２６，２８によって受網２２から落下する処理物が２段階で風選されることとなり、選別精度が一段と向上する。
【００２７】
このとき、第１及び第２のチャフシーブ２６，２８の隙間から、グレンシーブ３０上に漏下された穀粒に混入する夾雑物は、第３の風路３８を通ってグレンシーブ３０の下方から上方に向けて吹き上げる選別風により、第２のラック３１を経由して吸引排塵ファン４４に向けて吹き上げられ、穀粒のみがグレンシーブ３０を漏下して１番ラセン３９に落下する。そして、該１番ラセン３９に落下した穀粒は、図示しない揚穀筒を介して穀粒タンク（不図示）に揚上移送され、そこで一時的に貯蔵される。
【００２８】
また、第１の風路３６を通って流れる選別風により、第１のチャフシーブ２６で漏下しきれなかった穀粒と夾雑物は、後方の落下空間３２を介して第１のラック２７から第２のラック３１上に落下するが、このとき、前記落下空間３２が形成されていることにより、第１のラック２７と第２のラック３１の上下方向の距離が広くなっており、第１のチャフシーブ２６及び第１のラック２７で搬送される比較的大きな藁屑は、第１乃至第３の風路３６〜３８を通って流れる選別風により、前記落下空間３２において十分に選別されることになる。更に、第２のラック３１では、夾雑物が吸引排塵ファン４４に向けて移送され、穀粒と夾雑物が選別されると共に、第２のラック３１から２番ラセン４０に漏下した処理物は、揺動流板２４上に還元移送され、再び選別される。
【図面の簡単な説明】
【００２９】
【図１】本発明に係る脱穀機の揺動選別装置の断側面図である。
【符号の説明】
【００３０】
１０      脱穀機
１４      揺動選別装置
１６      扱室（脱穀室）
２２      受網
２６      第１のチャフシーブ
２８      第２のチャフシーブ
３０      グレンシーブ
３４      唐箕ファン（送風ファン）
３５      送風口
３６      第１の風路
３７      第２の風路
３８      第３の風路
４８      風向板
４９      風向板
【図１】
2005218416.tif 000003